(57)【要約】【課題】  たとえ共焦点顕微鏡観察用に使用できる程度にまで底板の板厚を薄くしても、底板へのうねりの発生を抑えて光の屈折率の変化を抑制することの可能な生化学用容器。【解決手段】  多数の貫通孔２を有する容器本体１とその容器本体１の底面に貼着されて貫通孔２の底面側を閉口する光透過性の底板３により形成されている生化学用容器で、底板３が複数枚の底板３ａ，３ｂに分割され、各分割底板３ａ，３ｂが多数の貫通孔２のうちの複数の貫通孔２をそれぞれ閉口するように貼着されている生化学用容器、または、底板の貫通孔に対応する孔閉口部分の板厚が他の部分の板厚よりも薄い板厚に形成されている生化学用容器。【選択図】        図１
2007033336.tif 000002
【特許請求の範囲】
【請求項１】
多数の貫通孔を有する容器本体とその容器本体の底面に貼着されて前記貫通孔の底面側を閉口する光透過性の底板により形成されている生化学用容器であって、
前記底板が複数枚の底板に分割され、その各分割底板が前記多数の貫通孔のうちの複数の貫通孔をそれぞれ閉口するように貼着されている生化学用容器。
【請求項２】
前記底板の板厚が０．３５ｍｍ以下である請求項１に記載の生化学用容器。
【請求項３】
多数の貫通孔を有する容器本体とその容器本体の底面に貼着されて前記貫通孔の底面側を閉口する光透過性の底板により形成されている生化学用容器であって、
前記底板の前記貫通孔に対応する孔閉口部分の板厚が他の部分の板厚よりも薄い板厚に形成されている生化学用容器。
【請求項４】
前記底板の孔閉口部分の板厚が０．３５ｍｍ以下で、前記他の部分の板厚が０．３５ｍｍより厚い板厚である請求項３に記載の生化学用容器。
【請求項５】
前記底板がガラス製の板である請求項１〜４のいずれか１項に記載の生化学用容器。
【発明の詳細な説明】
【技術分野】
【０００１】
本発明は、多数の貫通孔を有する容器本体とその容器本体の底面に貼着されて前記貫通孔の底面側を閉口する光透過性の底板により形成されている生化学用容器に関する。
【背景技術】
【０００２】
このような生化学用容器としては、例えば、マイクロプレートがあり、従来、多数の貫通孔を有する容器本体をポリスチレンで形成し、その容器本体の底面に貼着して貫通孔の底面側を閉口する光透過性の底板を１枚の合成石英板（石英ガラス）で形成して、その合成石英板からなる１枚の底板を容器本体の底面に接着剤で接着して形成したものが知られている（例えば、特許文献１参照）。
【０００３】
【特許文献１】特開２００２−１２５６５６号公報
【発明の開示】
【発明が解決しようとする課題】
【０００４】
しかし、上述した従来技術では、容器本体の底面に貼着する底板が１枚の合成石英板で形成されていたので、底板の板厚をあまり薄くすると、底板に周期性のある「うねり」が発生して、種々の不都合を生じるという欠点がある。
例えば、底板として板厚が０．３ｍｍのガラス製の板を使用した場合、その０．３ｍｍのガラス製の底板に周期がおおよそ１８０ｍｍのうねりが発生する。ところが、マイクロプレートの場合、標準的な大きさでも、長辺側が約１２８ｍｍ程度あるため、うねりの山と谷がマイクロプレートの長辺側に完全に収まり、そのうねりの山と谷の高低差が０．０４ｍｍ程度になる。
【０００５】
したがって、このようなうねりが存在する底板を容器本体の底面に接着すると、部分的に接着不良を生じるおそれがあり、また、無理に接着すると、底板にひずみが生じて光の屈折率が変化し、その屈折率の変化が測定誤差発生の原因となるおそれがある。
特に、そのマイクロプレートを共焦点顕微鏡観察用に使用する場合、共焦点顕微鏡の焦点距離は一般的に０．２ｍｍ程度と短いため、底板として０．１５±０．０２ｍｍ程度の板厚のものを使用する必要があり、底板のうねりが原因となって共焦点顕微鏡の焦点から外れてしまったり、たとえ焦点範囲内であっても、測定のたびに大きな焦点合わせを毎回行う必要があるなど、種々の問題が発生する。
【０００６】
本発明は、このような従来の問題点に着目したもので、その目的は、たとえ共焦点顕微鏡観察用に使用できる程度にまで底板の板厚を薄くしても、底板へのうねりの発生を抑えて光の屈折率の変化を抑制することの可能な生化学用容器を提供することにある。
【課題を解決するための手段】
【０００７】
本発明の第１の特徴構成は、多数の貫通孔を有する容器本体とその容器本体の底面に貼着されて前記貫通孔の底面側を閉口する光透過性の底板により形成されている生化学用容器であって、前記底板が複数枚の底板に分割され、その各分割底板が前記多数の貫通孔のうちの複数の貫通孔をそれぞれ閉口するように貼着されているところにある。
【０００８】
本発明の第１の特徴構成によれば、容器本体の底面に貼着されて貫通孔の底面側を閉口する底板が複数枚の底板に分割され、その各分割底板が多数の貫通孔のうちの複数の貫通孔をそれぞれ閉口するように貼着されているので、例えば、底板の板厚、および、その板厚において発生するうねりの周期や山と谷の高低差などを考慮して分割底板の面積を決定することによって、たとえ底板の板厚を所望通りに薄くしても、底板へのうねりの発生を抑制することができ、かつ、その各分割底板が複数の貫通孔の底面側を閉口するように貼着されるので、各分割底板がひとつの貫通孔の底面側を閉口する場合に比べて生産効率の向上を図ることができる。
その結果、各分割底板を容器本体の底面に効率良く確実に貼着することができるとともに、底板のうねりに起因する光の屈折率の変化を抑制することができ、測定精度の良い生化学用容器を提供することができるに至った。
【０００９】
本発明の第２の特徴構成は、上記第１の特徴構成を備えた生化学用容器において、前記底板の板厚が０．３５ｍｍ以下であるところにある。
【００１０】
本発明の第２の特徴構成によれば、底板の板厚が０．３５ｍｍ以下であるから、光の透過率も良好で精度の良い測定が可能となる。
その反面、底板へのうねりの発生も避けがたいものとなるが、上述したように底板を複数枚の底板に分割することによってうねりの発生を抑制することができるので、精度の良い測定に最適な生化学用容器を提供することができる。
【００１１】
本発明の第３の特徴構成は、多数の貫通孔を有する容器本体とその容器本体の底面に貼着されて前記貫通孔の底面側を閉口する光透過性の底板により形成されている生化学用容器であって、前記底板の前記貫通孔に対応する孔閉口部分の板厚が他の部分の板厚よりも薄い板厚に形成されているところにある。
【００１２】
本発明の第３の特徴構成によれば、容器本体の底面に貼着されて貫通孔の底面側を閉口する底板において、その底板の貫通孔に対応する孔閉口部分の板厚が他の部分の板厚よりも薄い板厚に形成されているので、孔閉口部分を所望の板厚に設定した上で、容器本体の底面の面積などを考慮して他の部分の板厚を決定することによって、底板の孔閉口部分におけるうねりの発生を抑えて光の屈折率の変化を抑制することができ、その結果、測定精度の良い生化学用容器を提供することができるに至った。
【００１３】
本発明の第４の特徴構成は、上記第３の特徴構成を備えた生化学用容器において、前記底板の孔閉口部分の板厚が０．３５ｍｍ以下で、前記他の部分の板厚が０．３５ｍｍより厚い板厚であるところにある。
【００１４】
本発明の第４の特徴構成によれば、底板の孔閉口部分の板厚が０．３５ｍｍ以下であるから、光透過率も良好で精度の良い測定が可能となり、そして、他の部分の板厚が０．３５ｍｍより厚い板厚であるから、孔閉口部分におけるうねりの発生も抑制され、制度の良い測定に最適な生化学用容器を提供することができる。
【００１５】
本発明の第５の特徴構成は、上記第１〜第４のいずれかの特徴構成を備えた生化学用容器において、前記底板がガラス製の板であるところにある。
【００１６】
本発明の第５の特徴構成によれば、底板がガラス製の板であるから、ポリスチレンなどの合成樹脂に比べて化学的に安定しており、生化学用容器の底板として優れている。
【発明を実施するための最良の形態】
【００１７】
本発明による生化学用容器の実施の形態を図面に基づいて説明する。
本発明の生化学用容器は、図１〜図３に示すように、長方形の光透過性のガラスで形成された板状の容器本体１と、その容器本体１の底面に貼着された長方形の光透過性のガラス製の板からなる底板３，４により形成されている。
容器本体１は、その板厚方向に貫通する多数の貫通孔２を有し、容器本体１の底面に接着剤などで貼着された底板３，４によって各貫通孔２の底面側が閉口されてウェル５が形成されている。
この生化学用容器は、使用目的などに応じて種々の大きさに形成することができるが、一例を示すと、既存のマイクロプレートリーダーの使用が可能なように、長方形の長辺が約１２８ｍｍ、短辺が約８６ｍｍで、合計９６個のウェル５を有して形成される。
【００１８】
（第１の実施形態）
第１の実施形態では、図１および図２に示すように、底板３が複数枚の分割底板、例えば、２枚の分割底板３ａ，３ｂに分割され、各分割底板３ａ，３ｂが、容器本体１に形成された合計９６個の貫通孔２のうち、それぞれ４８個の貫通孔２の底面側を閉口するように貼着されて、合計９６個のウェル５が形成されている。
各分割底板３ａ，３ｂの板厚は、０．３５ｍｍ以下に設定され、共焦点顕微鏡観察用に使用する場合には、０．１５±０．０２ｍｍ程度に設定される。
【００１９】
（第２の実施形態）
第２の実施形態では、図３に示すように、底板４が１枚の底板で形成され、その１枚の底板４において、容器本体１に形成された合計９６個の貫通孔２に対応する孔閉口部分４ａの板厚が、他の部分４ｂの板厚よりも薄い板厚に形成されている。
この底板４の場合、孔閉口部分４ａの板厚は、０．３５ｍｍ以下に設定され、共焦点顕微鏡観察用に使用する場合には、０．１５±０．０２ｍｍ程度に設定され、他の部分４ｂの板厚は、０．３５ｍｍより厚い板厚に設定される。一例を挙げると、共焦点顕微鏡観察用に使用する場合を考慮して、孔開口部分４ａの板厚を０．１５±０．０２ｍｍ以下に設定し、他の部分４ｂの板厚を０．１７ｍｍ程度に設定して実施することができる。
なお、孔閉口部分４ａの板厚は、例えば、エッチングによって他の部分４ｂの板厚よりも薄くすることが可能であり、そのエッチング処理の時期については、先に底板４にエッチング処理を行って、その後、底板４を容器本体１に貼着することも、また、底板４を容器本体１に貼着した後にエッチング処理を行うこともできる。
【００２０】
〔別実施形態〕
（１）第１の実施形態では、底板３を２枚の分割底板３ａ，３ｂに分割した例を示したが、底板３を３枚以上の分割底板に分割することもでき、また、各分割底板により閉口する貫通孔２の個数も複数であれば自由に選択することができる。
要するに、底板３の分割枚数や分割底板により閉口する貫通孔２の個数は、生化学用容器の大きさ、ウェル５の個数、底板３の板厚などに応じて適宜選択して実施することができる。
【００２１】
（２）第２の実施形態では、底板４を１枚の底板で形成した例を示したが、生化学用容器の大きさ、ウェル５の個数、孔開口部分４ａや他の部分４ｂの板厚などによっては、底板４を２枚以上に分割して実施することもできる。
【００２２】
（３）第１および第２の実施形態では、容器本体１をガラスで形成した例を示したが、容器本体１をポリスチレンなどの合成樹脂で形成することもでき、また、底板３，４についても同様で、ポリスチレンなどの合成樹脂で形成することができる。
【図面の簡単な説明】
【００２３】
【図１】第１の実施形態による生化学用容器を底面側から見た分解斜視図
【図２】第１の実施形態による生化学用容器の断面図
【図３】第２の実施形態による生化学用容器の断面図
【符号の説明】
【００２４】
１      容器本体
２      貫通孔
３      底板
３ａ，３ｂ  分割底板
４      底板
４ａ    底板の孔閉口部分
４ｂ    底板の他の部分
【図１】
2007033336.tif 000003
【図２】
2007033336.tif 000004
【図３】
2007033336.tif 000005